(57)【要約】【課題】学習者にとって飽きにくい語学学習を実現する。【解決手段】複数の言語で音声、字幕等の管理情報が記録されたＤＶＤを装填して、設定入力部のオンオフ操作により、学習言語および字幕に基づく複数の学習パターンの設定を予め行う。また、操作部のキーを操作してＤＶＤの学習の範囲を指示する。この学習の範囲の再生を、学習の終了が指示されるまで継続する。この場合、繰り返し学習毎に学習パターンを変更した再生を行う。これにより、学習者にとって飽きのこない語学学習を可能とした。【選択図】図１
2013258637.tif 000002
【特許請求の範囲】
【請求項１】
複数の言語で映像、音声、字幕が記録されたＤＶＤ−Ｖｉｄｅｏ記録媒体を再生する再生装置であって、
前記記録媒体を再生する場合における音声の言語および字幕の言語を指定する複数の組合せを示す学習パターンを記憶するメモリと、
前記記録媒体の学習の範囲を指示する指示手段と、
前記記録媒体の前記学習の範囲を再生した後、再び当該学習の範囲を再生する場合には前記学習パターンを変更して前記記録媒体を再生する制御ユニットと、を備える再生装置。
【請求項２】
前記記録媒体の再生時に学習したい再生シーンの前後に、前記指示手段の操作に基づく再生開始のトラックマークと再生終了のトラックマークの間を学習の範囲とし、該学習の範囲で前記記録媒体を繰り返し再生する、請求項１記載の再生装置。
【請求項３】
前記学習パターンの字幕の言語として字幕の非表示を選択できる、請求項１または請求項２記載の再生装置。
【請求項４】
前記制御ユニットは、前記学習パターンメモリで設定された学習パターンの１つを自動的に選択する、請求項１乃至請求項３のいずれか１項に記載の再生装置。
【発明の詳細な説明】
【技術分野】
【０００１】
この発明の実施形態は、例えば映画やドラマなどのコンテンツが記録されたＤＶＤ（Digital Versatile Disc）などの記録媒体の再生装置に関する。
【背景技術】
【０００２】
従来、複数の言語で映像、音声、字幕が記録されたＤＶＤ−Ｖｉｄｅｏ記録媒体の任意のチャプターを繰り返し再生できる再生装置が提案されている。この再生装置に語学学習再生モード用の機能部を更に備え、語学学習再生モードに切り替えられたときには、映像情報と当該映像情報に関連する音声情報を再生すると共に、当該再生する音声情報に含まれる発話情報の言語と同じ言語の字幕情報を記録媒体から読み出して、映像情報による画像に、字幕情報による字幕を重畳表示して再生する。
【０００３】
しかしながら、語学学習用チャプター内をただ単純に繰り返した学習では飽きてしまい身に入りにくいものとなってしまう。また、他の映像、音声、字幕の組み合わせる場合は、その都度新たな設定にし直さなくてはならず、学習者の操作が煩雑となってしまう、という課題があった。
【先行技術文献】
【特許文献】
【０００４】
【特許文献１】特開２００９−１６４９７９号公報
【発明の概要】
【発明が解決しようとする課題】
【０００５】
この実施形態では、学習者にとって飽きにくい語学学習のできる再生装置を提供する。
【課題を解決するための手段】
【０００６】
実施形態によれば、複数の言語で映像、音声、字幕が記録されたＤＶＤ−Ｖｉｄｅｏ記録媒体をリピート再生することができる再生装置が提供される。
【０００７】
再生装置は、前記記録媒体を再生する場合における音声の言語および字幕の言語を指定する複数の組合せを示す学習パターンを記憶するメモリと、前記記録媒体の学習の範囲を指示する指示手段と、前記記録媒体の前記学習の範囲を再生した後、再び当該学習の範囲を再生する場合には前記学習パターンを変更して前記記録媒体を再生する制御ユニットと、を備える。
【図面の簡単な説明】
【０００８】
【図１】再生装置に関する第１の実施形態の概略的な回路構成図である。
【図２】学習言語設定画面例を示す図である。
【図３】学習パターン設定例を示す図である。
【図４】学習パターンを設定するためのフローチャートである。
【図５】学習パターンの変更について説明する説明図である。
【発明を実施するための形態】
【０００９】
以下、実施形態について、図面を参照しながら詳細に説明する。なお、以下で説明する図面で、同一機能を有するものは同一符号を付し、繰り返しの説明は省略する。
【００１０】
（第１の実施形態）
図１は、ＤＶＤ−Ｖｉｄｅｏ記録媒体を再生可能なＤＶＤプレーヤ１００を示す。ここでは、映像コンテンツが管理情報とともに記録されたＤＶＤ１１を用いて、学習者が語学学習する場合を例とする。管理情報には複数言語の音声情報および字幕情報を含む。
【００１１】
語学学習に適したＤＶＤ１１は、少なくとも複数言語による音声情報および字幕情報が付加されていることが好ましい。字幕情報については少なくとも、映像コンテンツのオリジナルの言語による字幕情報と、ＤＶＤ１１が販売される国の言語（再生装置の使用者の母国語に対応）による字幕情報とが含まれることが好ましい。音声情報については少なくとも、映像コンテンツ内において、出演者のオリジナルな言語による音声情報と、その言語を他の言語（学習者の母国語を含む）に吹き替えした言語による音声情報とが含まれていることが好ましい。
【００１２】
ＤＶＤプレーヤ１００は、図示しないディスク装填部にＤＶＤ１１が挿入されると映像コンテンツの再生を開始する。再生時には、スピンドルモータ１２がＤＶＤ１１を所定の速度で回転させる。光ピックアップ１３は、ＤＶＤ１１に対してレーザ照射を行い、その反射光を検出する。反射光の検出信号は、ＲＦアンプ１４へ供給する。ＲＦアンプ１４は検出信号を増幅して信号処理部１５に供給する。
【００１３】
信号処理部１５は、図示は省略したが、検出信号を用いて映像コンテンツに対応する映像データ、少なくとも音声情報に対応する音声データおよび字幕情報に対応する字幕データを含む管理情報に変換する。また、信号処理部１５はこれらの読み出されたデータを一時格納するためのバッファメモリを備え、ＤＶＤ１１から読み出され映像データ、音声データおよび字幕データを分離する。信号処理部１５は分離された映像データを映像信号出力部１６に供給し、音声データを音声信号出力部１７に供給し、そして字幕データを含む管理情報を管理情報検出部１８に供給する。
【００１４】
サーボ制御部１９は、ＲＦアンプ１４で生成されたフォーカスエラー信号、トラッキングエラー信号に基づいて、フォーカスサーボ制御、トラッキングサーボ制御等のサーボ制御を実行する。即ちフォーカスエラー信号、トラッキングエラー信号に応じてフォーカスドライブ信号、トラッキングドライブ信号を生成し、二軸ドライバ３０により光ピックアップ１３内で対物レンズを保持している二軸機構を駆動させ、フォーカスサーボ制御、トラッキングサーボ制御を行う。またサーボ制御部１９は、図示していないスレッド機構による光ピックアップ１３のディスク半径方向のシーク制御も行う。
【００１５】
また、サーボ制御部１９は、例えば信号処理部１５から得られる回転速度エラー情報に基づいてスピンドルサーボ信号を生成し、スピンドルドライバ３１によるスピンドルモータ１２の回転駆動を制御することで、ＤＶＤ１１の回転速度が制御される。
【００１６】
管理情報検出部１８は、信号処理部１５から管理情報を検出して、制御ユニット２０に渡す。管理情報は、記録されているデータの記録媒体上の位置情報や、記録データ間のつながりなどのリンク情報、時間情報などのほか、複数種の字幕データ（字幕の画像への重畳タイミング時点の情報を含む）や、どのような言語の音声データが記録されているかの情報を含む。
【００１７】
制御ユニット２０は、ＣＰＵ（Central Processing Unit）、メモリ２０１、インターフェース部等を備えたマイクロコンピュータにより構成され、動作プログラムに基づいてＤＶＤプレーヤ１００の全体制御や各種演算処理を行う。制御ユニット２０には、外部から操作するための操作部２１、設定入力部２２が接続されている。制御ユニット２０のメモリ領域には、ＣＰＵが実行する各種プログラムやプログラムの実行時に必要となる各種のデータが記憶されている。
【００１８】
たとえば、メモリ領域を代表するメモリ２０１は、再生時の音声データの言語を指定する第１言語データおよび再生時の字幕データの言語を指定する第２言語データとを記憶する。このＤＶＤプレーヤ１００が映像コンテンツを再生する場合には、メモリ２０１が指定する第１言語の音声データを再生し、かつ第２言語の字幕データを再生する。
【００１９】
制御ユニット２０は、管理情報のうち、記録されているデータのＤＶＤ１１上の位置情報や前記リンク情報、時間情報などは、光ピックアップ１３が走査すべきＤＶＤ１１上の位置制御や、シーク制御を行うために用いる。
【００２０】
映像信号出力部１６は、映像データをデコードして、モニター２３に表示可能な映像信号を生成し、モニター２３にて画像を表示する。
【００２１】
このとき、映像信号出力部１６には、メモリ２０１の第２言語データに対応する言語の字幕データが選択されて供給される。映像信号出力部１６は、制御ユニット２０から字幕データを受けると、この字幕データに含まれる、再生画像への重畳タイミングの時間位置情報に基づいて、その字幕を画像に重畳させた映像信号を出力する。
【００２２】
音声信号出力部１７には、メモリ２０１の第１言語データに対応する言語の音声データを選択的に再生するように制御する音声再生制御信号が、制御ユニット２０を通じて供給される。音声信号出力部１７は、この音声再生制御信号により選択された第１言語の音声データをデコードして、再生音声信号を出力する。
【００２３】
このように、制御ユニット２０は、通常再生モードにおいてはメモリ２０１の内容に応じて、ＤＶＤ１１のコンテンツに関連する第１言語の音声データおよび第２言語の字幕データをそれぞれ選択的に再生するように制御する。
【００２４】
再生速度設定部２５は操作部２１からの操作指示信号が再生速度を高速にする指示や、再生速度を低速（スロー）にする指示であったときに、制御ユニット２０からの指示を受けて、信号処理部１５から出力される映像データや音声データの読み出しを制御し、高速再生やスロー再生を実現する。
【００２５】
また、制御ユニット２０は、高速再生やスロー再生の指示があったと判別したときには、サーボ制御部１９を制御して、高速再生やスロー再生を行うための光ピックアップ１３のシーク制御も行う。
【００２６】
操作部２１は、通常再生モードにおいて、再生速度の指示の他に、ＤＶＤビデオプレーヤ１００をフォワード再生キー、バックワード再生キーやリピート再生の操作を行うリピートキーなどを備える。学習者が繰り返し再生したい再生シーンの前後に、リピートキーを操作して再生開始のトラックマークと再生終了のトラックマークをそれぞれメモリ２０１に記憶しておくことによりリピート範囲を設定できる。トラックマークは、例えばリピート開始とリピート終了の位置で、操作部２１をそれぞれ１回操作した時点で得られるＤＶＤビデオのアドレスに相当する。制御ユニット２０は、メモリ２０１に記憶されたリピート開始とリピート終了のアドレスを読み出し、これらアドレスと対応するＤＶＤ１１の再生位置を繰り返し再生することができる。
【００２７】
また、設定入力部２２は、モード変更キーや、語学学習再生モードにおいて、ＤＶＤビデオプレーヤ１００を語学学習機器として利用するに際して、学習言語や学習パターン等の設定を行うキーを備える。
【００２８】
（語学学習再生モード）
設定入力部２２のモード変更キーが操作されると、制御ユニット２０がこれを検知して、語学学習再生モードに入る。語学学習再生モードでは、制御ユニット２０は、初期設定画面としてまずメモリ２０１の内容をモニター２３に表示すると好ましい。図２では、メモリ２０１の第１言語データ（英語）を学習言語、第２言語データ（日本語）を母国語として初期設定する。初期設定後にＤＶＤ１１を再生すると、音声は英語で、字幕は日本語にて映像コンテンツが再生される。
【００２９】
語学学習再生モードでは、設定入力部２２のキーを操作して学習者は自由に第１言語データおよび第２言語データを変更できることが好ましい。たとえば、学習者が次候補キーの操作によって複数の言語のうちの他の言語に変更操作してもよい。次候補キーが操作された場合、制御ユニット２０はメモリ２０１の第１または第２言語データを残りの複数の言語データのいずれか１つに書き換える。学習者が特に設定をしない場合には、そのままでもよい。
【００３０】
語学学習再生モードにおいて、たとえば、操作部２１のリピートキーが操作されると、メモリ２０１には、学習開始のトラックマークと学習終了のトラックマークをそれぞれ記憶する。トラックマークは、例えば学習開始と学習終了の位置で、操作部２１をそれぞれ１回操作した時点で得られるＤＶＤビデオのアドレスに相当する。これにより、学習範囲を設定することができる。
【００３１】
さらに制御ユニット２０には、学習パターンメモリ２６が接続されている。学習パターンメモリ２６は、選択された学習言語の音声と字幕のオンオフで図３に示す組み合わせで設定される学習パターンのテーブルを記憶するメモリであって、制御ユニット２０の指示により読み出される。
【００３２】
学習パターンは、音声の言語と字幕の言語との組み合わせを持つ。図３では、４種類の学習パターンが設定されたテーブル例を示している。すなわち、学習パターン１では音声を［日本語］とし字幕は［ＯＦＦ］で言語無しとし、学習パターン２では音声を［英語］とし字幕は［日本語］としている。学習パターン３では音声を［英語］とし字幕は［英語］とし、さらに学習パターン４では音声を学習言語である［英語］とし字幕は［ＯＦＦ］としている。
【００３３】
たとえば、学習パターン１，２は工場出荷時に予め記憶しておくようにしてもよい。その後、語学学習モードにおいて、学習パターン３，４は、学習者が追加で記憶（または削除）できるようにしてもよい。たとえば、学習者は学習パターン番号を指定して、メモリ２０１に第１言語および第２言語を所望の言語に設定後、パターン登録キーの指示を行うことで、メモリ２０１の内容を学習パターンメモリ２６のテーブルに書き込むようにしてもよい。
【００３４】
ここで、図４のフローチャートを使用し、語学学習モード時に図３に示す学習パターンのテーブルに従った語学学習例について図１とともに説明する。なお、この語学学習例での学習パターンとしては、図３に示すテーブルの内容が初期設定されたものとして説明する。
【００３５】
まず、制御ユニット２０は、装填されたＤＶＤ１１を再生するため、設定入力部２２のモード変更キーが操作されたかどうかを判断する。モード変更キーが操作されていない場合は、通常再生をおこなうが、モード変更キーが操作されたと判断した場合は、図４に示す学習処理を開始する。
【００３６】
まず、学習範囲が指定されているかどうか、たとえばリピートキーが操作されたかどうかをチェックする（ステップＳ１）。リピートキーが操作された場合には、繰り返し再生の開始位置と終了位置とが設定済みであって、語学学習モードでも、この範囲を繰り返し学習の再生範囲として用いることができる。リピートキーが操作されていない場合には、繰り返し再生範囲が非設定のため、学習者に設定を促す表示などをおこなって一旦が語学学習モードを終了する。
【００３７】
学習範囲が設定済みの場合、たとえば、繰り返し再生の開始点と終了点とが設定済みの場合には、学習開始位置からＤＶＤ１１の再生準備を行う（ステップＳ２）。このとき制御ユニット２０は、学習パターンメモリ２６に記憶された学習パターン１〜４の中から、最初の学習パターン１を読み出し、メモリ２０１の第１言語データを［日本語］に、第２言語データを［ＯＦＦ］に書き換える。ＤＶＤ１１は、図３の学習パターン１に基づいた音声と字幕の言語で再生される（ステップＳ３）。
【００３８】
制御ユニット２０は、再生中に、学習の終了を指示されたかどうかを、たとえば、操作部２１のストップキーが操作されたかで判断する（ステップＳ４）。再生中にストップキーが操作されたと判断した場合は、学習を終了する。
【００３９】
ストップキーが操作されていない場合に制御ユニット２０は、学習範囲の再生を終了したかどうかを、たとえば、ＤＶＤ１１の例えば映像データに含まれる再生終了位置情報に基づき再生終了位置かを判断する（ステップＳ５）。学習範囲の再生を終了していないと判断した場合は、ステップＳ３に戻り、ＤＶＤ１１の再生を続ける。
【００４０】
その後、学習範囲の再生を終了と判断した場合に制御ユニット２０は、学習パターンメモリ２６から次の学習パターン２を読み出す（ステップＳ６）。制御ユニット２０は、読み出された学習パターン２に基づき、メモリ２０１の第１言語データを［英語］に、第２言語データを［日本語］に書き換え、学習パターン２へ変更する。このため、２回目の再生の際には、制御ユニット２０ は、第１言語データと第２言語データ に基づいてＤＶＤ１１内の音声と字幕ストリームを選択するので、第１言語データと第２言語データを変更すると再生時の音声と字幕の言語の組み合わせが変更になる。すなわち、ステップＳ３では、学習パターン２で設定された音声と字幕によるＤＶＤ１１の再生を行う。
【００４１】
以下、同じように、学習の終了の指示があるまで、たとえば、操作部２１のストップキーが操作されるまでは、ＤＶＤ１１の再生開始位置から再生終了位置までをリピートする毎に、図３に示す学習パターンを順次変更された学習パターンで再生することが可能となる。
【００４２】
このように、ＤＶＤ１１の学習範囲を繰り返し再生する際には、設定された学習パターン１〜４を、図５に示すように順次変更して再生することができる。
【００４３】
この実施形態では、学習の繰り返し時の音声情報と字幕情報の言語設定を自動的に変えた学習が可能となる。これにより学習者が飽きることなく、また煩雑な操作をおこなわずに語学学習をおこなうことができる。
【００４４】
図５は、語学学習モード時に学習したい再生シーンから学習者の操作によりリピート範囲（学習範囲）を設定し、図３に示す学習パターンのテーブルに従った語学学習例について説明する説明図である。この語学学習例について、図４のフローチャートを参照しながら説明する。
【００４５】
図４のステップＳ３のＤＶＤ１１再生中に、学習したい再生シーンの前後で操作部２１のリピートキーを操作し、再生開始と再生終了のトラックマークをそれぞれメモリ２０１に記憶し、図５（ａ）に示す学習範囲を設定する。
【００４６】
そして、図４のステップＳ５では、再生終了のトラックマークの位置かを判断するようにする。図４のステップＳ２では再生開始のトラックマークの位置から再生するようにする。
【００４７】
さらに、図４のステップＳ６において学習パターンを変更する。これで、図５（ａ）に示す学習範囲を、図５（ｂ）〜（ｅ）に示すように繰り返すたびに、学習パターンを変更しながら再生することができる。
【００４８】
この変形例では、学習したい再生シーンを学習範囲とし、この学習範囲で設定された学習パターンを変更しながら学習することで、より学習者が飽きることなく効率的な語学学習が可能となる。
【００４９】
（第２の実施形態）
第1の実施形態では、語学学習モードへの変更のためのモード変更キーを備えた再生装置を説明した。
【００５０】
第２の実施形態の再生装置では、モード変更キーに代えて、学習キーを設けた再生装置について説明する。ＤＶＤ１１の通常再生中に、学習キーを1回目に押すとその時点を学習範囲の開始位置として制御ユニット２０がこれを記憶するとともに、学習パターンメモリ２６から学習パターン１を読み出してメモリ２１に音声と字幕の言語を設定する。すなわち、学習キーの1回目で直ちに語学学習モードに入る。次に、学習者が適当な時間経過後に２回目の学習キーを押すとその時点を学習範囲の終了位置として制御ユニット２０がこれを記憶する。学習キーの２回の操作によって、語学学習範囲を設定することができる。ＤＶＤ１１の再生が学習範囲の終了位置に達すると、第１の実施形態と同様に学習パターンメモリ２６から次の学習パターンたとえば  学習パターン２を自動的に読み出してメモリ２１に音声と字幕の言語を設定する。
【００５１】
以後も、語学学習範囲を繰り返すたびに、音声と字幕の言語の組み合わせを変更していくことにより、第１の実施形態と同様な効果が得られる。語学学習の終了は、たとえば、学習キーをもう一度操作すればよい。３回目の学習キー操作があった場合には、語学学習モードから通常再生モードに戻るようにすることができる。これにより学習者は、所望の
ＤＶＤ１１の所望のシーンを自ら選ぶことができるので、学習者に飽きのこない学習がおこなえる。
【００５２】
以上説明した、第１および第２の実施形態では、複数の学習パターンを順次切り替えて音声と字幕の言語の設定を切り替えるようにしたが、たとえば、都度ランダムに複数の学習パターンの中から１つを自動的に選択するようにして切り替えてもよく、学習パターンの切替方法は適宜に設定しても同様な効果が得られる。
【００５３】
あるいは、学習を繰り返すほど、ＤＶＤ１１の再生速度が変わるように設定してもよい。たとえば、学習パターン１の学習では、例えば標準速度の１／２による再生を行い、学習パターン２の学習では標準速度で再生する。さらに、学習パターン３，４では標準速度の２倍でそれぞれ再生するようにしてもよい。この場合、制御ユニット２０は再生速度設定部２５を介して、最初はゆっくりと、次第に速度を上げて再生するように予め設定することで、習熟度に応じた学習が可能となる。
【００５４】
なお、設定した学習パターンの再生順をテーブル上で決めるようにしてもよい。同じ学習パターンを何回か繰り返して学習し、次の学習パターンを学習する再生回数をテーブル上で決めるようにしてもよい。さらに、再生順や再生回数をテーブル上で設定するようにしてもよい。
【００５５】
上記した実施形態に限定されるものではない。例えば、図３に示す学習パターンのテーブルとは学習パターンの異なる別のテーブルを予め用意しておき、先のテーブルの学習が終了したときに別のテーブルの学習パターンに変更するようにしてもよいし、異なるテーブルを交互に使用するようにしてもよい。設定された学習パターンの学習が終了した後に新たな学習パターンを設定するようにしてもよい。
【００５６】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００５７】
１００  ＤＶＤプレーヤ
１１  ＤＶＤ
１５  信号処理部
１６  映像信号出力部
１７  音声信号出力部
１８  管理情報検出部
１９  サーボ制御部
２０  制御ユニット
２０１  メモリ
２１  操作部
２２  設定入力部
２３  モニター
２４  スピーカ
２５  再生速度設定部
２６  学習パターンメモリ
【図１】
2013258637.tif 000003
【図２】
2013258637.tif 000004
【図３】
2013258637.tif 000005
【図４】
2013258637.tif 000006
【図５】
2013258637.tif 000007